(57)【要約】【課題】  外部装置用の表示領域を常に設けている場合、非接続時等は、その表示箇所には何も表示されず、その数が複数になればなるほど、その表示箇所はその間無駄に放置されてしまう。  また、主たるカメラの情報表示領域にも影響を及ぼす為、大画面化、高画素化の恩恵をユーザーが賜れなくなる。【解決手段】  表示領域を有効に使用することが、解決手段であると考え、外部装置の接続・非接続状況、表示開始・消灯タイミングに合わせて、外部装置・カメラ側の情報表示レイアウトを動的に変更することで、常に最適な情報を表示領域の損失無く表示する。【選択図】  図３
2009135676.tif 000002
【特許請求の範囲】
【請求項１】
設定情報及び、撮影情報を所定のタイミングにおいて、表示部材に表示する事が可能な、
電子スチルカメラにおいて、
少なくとも１つ以上の、各種情報を表示することが可能な表示部材を備え、
少なくとも１つ以上の、外部装置との接続が可能な接続端子を備え、
少なくとも１つ以上の、カメラ動作上の所定のタイミングにおいて、該外部装置に関する設定情報、及び撮影情報を、それ以前に表示部材に表示していたレイアウトを、レイアウト変更制御手段とレイアウト情報設定手段により、前記電子スチルカメラ及び外部装置全ての情報を同時に表示する情報表示更新手段を備え、
外部装置の設定情報及び撮影情報を、所定時間もしくは所定のタイミングで消灯する表示消灯手段を備え、
外部装置の設定情報及び撮影情報を、表示するか否かの設定をする事が可能な表示可否制御手段を備え、
前記電子スチルカメラにおける設定情報及び撮影情報、外部装置における設定情報及び撮影情報、それぞれの表示領域を明確化する、表示領域明確化手段を備え、
上記レイアウト変更制御手段は、表示更新時において、外部装置における設定情報及び撮影情報表示の追加情報を、既存の表示は全て残した上で、表示サイズ、表示位置を動的に変更する事で、全ての情報を表示すると共に、
上記レイアウト情報設定手段は、該レイアウト変更制御手段における、表示更新時に必要な、表示サイズ、表示位置の優先度を設定する事が可能である事を特徴とする電子スチルカメラ。
【請求項２】
請求項１に記載の電子スチルカメラにおいて、該所定のタイミングを、外部装置との接続状態に変更があった際の接続状態変更タイミング、測光開始釦Onによる測光開始タイミング、及び設定開始釦Onによる設定開始タイミング、無操作状態であるスタンバイ状態開始タイミング、電源関係Sw操作による電源On開始タイミング及び、電源Off開始タイミングであることを特徴とする電子スチルカメラ。
【発明の詳細な説明】
【技術分野】
【０００１】
本発明は、電子スチルカメラ、及び外部装置の各種情報を表示部材上に表示する際における、表示レイアウト変更制御手段に関するものである。
【背景技術】
【０００２】
近年、電子スチルカメラにおける表示部材の大画面化、及び高画素化が進み、また多種に渡る外部装置の登場により、カメラにおける情報表示量も増加してきている。
【０００３】
また、それに対応してカメラ側の表示部材に予め表示箇所を設けて、外部装置の接続状況に応じて各種情報表示を更新する等の技術が考案されている。
【０００４】
上記の例として、下記特許文献１をあげることが出来る。
【特許文献１】特開平9-224176号公報
【発明の開示】
【発明が解決しようとする課題】
【０００５】
しかしながら、少なくとも１つ以上の外部装置が同時に接続可能なカメラにおいて、撮影時にはできるだけ多くの情報を同時に見れる事が理想的である為、カメラ側の表示部材に予め表示箇所を設けて、外部装置の接続状況に応じて各種情報表示を更新する場合、
外部装置が未接続である場合には、その表示箇所には何も表示されず、
接続可能な外部装置が複数になればなるほど、その表示箇所はその間無駄に放置される事になり、
また、カメラの情報表示領域にも影響を及ぼすことになり、表示部材の大画面化、高画素化の恩恵をユーザーが賜れない状況が生まれてしまうと考える。
【０００６】
本発明は上記の点に鑑みてなされたものであり、カメラや外部装置における各種情報表示レイアウトを自在に制御することで、ユーザーが必要な情報を、表示部材の画面を無駄なく使用し表示する事を目的とする。
【課題を解決するための手段】
【０００７】
設定情報及び、撮影情報を所定のタイミングにおいて、表示部材に表示する事が可能な、
電子スチルカメラにおいて、
少なくとも１つ以上の、各種情報を表示することが可能な表示部材を備え、
少なくとも１つ以上の、外部装置との接続が可能な接続端子を備え、
少なくとも１つ以上の、カメラ動作上の所定のタイミングにおいて、該外部装置に関する設定情報、及び撮影情報を、それ以前に表示部材に表示していたレイアウトを、レイアウト変更制御手段とレイアウト情報設定手段により、カメラ及び外部装置全ての情報を同時に表示する情報表示更新手段を備え、
外部装置の設定情報及び撮影情報を、所定時間もしくは所定のタイミングで消灯する情報表示消灯手段を備え、
外部装置の設定情報及び撮影情報を、表示するか否かの設定をする事が可能な表示可否制御手段を備え、
カメラにおける設定情報及び撮影情報、外部装置における設定情報及び撮影情報、それぞれの表示領域を明確化する、表示領域明確化手段を備え、
上記レイアウト変更制御手段は、表示更新時において、外部装置における設定情報及び撮影情報表示等の追加情報を、既存の表示は全て残した上で、表示サイズ、表示位置を動的に変更する事で、全ての情報を表示する事が特徴であり、
上記レイアウト情報設定手段は、該レイアウト変更制御手段における、表示更新時に必要な、表示サイズ、表示位置の優先度を設定する事が可能である事が特徴とするカメラを提供する。
【０００８】
また、そのようなカメラにおいて、該所定のタイミングを、外部装置との接続状態に変更があった際の接続状態変更タイミング、測光開始釦Onによる測光開始タイミング、及び設定開始釦Onによる設定開始タイミング、無操作状態であるスタンバイ状態開始タイミング、電源関係Sw操作による電源On開始タイミング及び、電源Off開始タイミングであることを特徴とするカメラを提供する。
【発明の効果】
【０００９】
上記のように、カメラ及び外部装置に纏わる各種情報表示を、自在に制御する事によって、ユーザーが必要な情報を、表示部材の画面上無駄なく使用して、表示する事が可能となる。
【発明を実施するための最良の形態】
【００１０】
次に、本発明の詳細を実施例の記述に従って説明する。
【００１１】
以下、本願発明の第１の実施例に係る電子スチルカメラを図を参照しながら詳細に説明する。
【００１２】
図１は第１の実施例に係る電子スチルカメラのブロック図である。
【００１３】
図１において、１は撮影レンズ、２は絞り手段を具備するシャッタ、３はＣＣＤ等により光学像を電気信号に変換する撮像素子、４はガンマ補正等の公知のカメラ信号処理を行うプロセス回路、５はプロセス回路４のアナログ出力をデジタル信号化するＡ／Ｄ変換器、６は適応離散コサイン変換（ＡＤＣＴ）等により画像データの圧縮を行う画像圧縮回路、７は前記画像圧縮回路６により圧縮を施した画像データと前記画像圧縮回路６をバイパスした画像データ（圧縮を行っていない）との電送を切換える切換スイッチである。
【００１４】
８は外部音声入力用のマイク、９は前記マイク８より出力される音声信号のノイズを低減するノイズ低減回路、１０は前記ノイズ低減回路９のアナログ出力をデジタル信号化するＡ／Ｄ変換器、１１は適応差分ＰＣＭ（ＤＰＣＭ）等によりデータ圧縮する音声圧縮回路、１２は音声圧縮回路１１により圧縮を施した音声データと前記音声圧縮回路１１をバイパスした音声データとの電送を切換える切換スイッチである。
【００１５】
１３はバッファメモリである。前記バッファメモリ１３は画像データ（映像信号）及び又は音声データ（音声信号）を一時記憶し、後述するメモリ制御回路３９により前記信号を所望の速度で読み出し可能なメモリである。
【００１６】
１４はＡ／Ｄ変換器５，１０、画像圧縮回路６、音声圧縮回路１１、切換スイッチ７，１２及びバッファメモリ１３を制御するメモリ制御回路である。画像データを圧縮する場合は圧縮回路６により圧縮画像データが、圧縮しない場合はＡ／Ｄ変換器５から出力される画像データが、メモリ制御回路１４の制御下でバッファメモリ１３に書き込まれる。音声データを圧縮する場合は圧縮回路１１により圧縮音声データが、圧縮しない場合はＡ／Ｄ変換器１０から出力される音声データが、メモリ制御回路１４の制御下でバッファメモリ１３に書き込まれる。
【００１７】
１５はメモリカード１６、ハードディスク１７或は外部機器とのインターフェース（Ｉ／Ｆ）、１８はメモリカード１６或はハードディスク１７とカメラ本体との電気的接続を行うカメラ本体側のコネクタである。
【００１８】
メモリカード１６の記録領域には、管理データ領域１９と情報データ領域２０とがあり、ここに記憶される情報はメモリカード側のインタフェース２１及びコネクタ２２を介して外部から読み書きが行われる。また、ライトプロテクト（書き込み禁止）２３の情報も、インターフェース２１及びコネクタ２２を介して外部に読み出し可能である。前記インターフェース２１は、ＣＰＵ、ＭＰＵ等の制御回路、ＲＯＭ、ＥＥＰＲＯＭ等の不揮発性メモリ、及びＲＡＭ等により構成され、所定のプログラムに基づいてメモリカード１６の制御を行う。
【００１９】
一方、ハードディスク１７の記憶領域には、管理データ領域２４と情報データ領域２５とがあり、ここに記憶される情報はインターフェース２６及びコネクタ２７を介して外部から読み書きが行われる。前記インターフェース２６は、ＣＰＵ、ＭＰＵ等の制御回路、ＲＯＭ、ＥＥＰＲＯＭ等の不揮発性メモリ、及びＲＡＭ等により構成され、所定のプログラムに基づいてハードディスク１７の制御を行う。
【００２０】
２８はシャッタ２を駆動するシャッタ駆動回路、２９は撮影レンズ１内のフォーカシングレンズを駆動するレンズ駆動回路、３０は被写体までの距離を測定する測距回路、３１は被写体の明るさを測定する測光回路、３２はフラッシュ、３３は温度検出回路であり、記録媒体の温度、凍結や露結の有無を検出する。
【００２１】
３４は電源の状態検出及び制御を行う電源制御回路、３５は電源部であり、電池、ＤＣ−ＤＣコンバータ、通電するブロックを切り換えるスイッチ等により構成されており、前記電源制御回路３４によって制御される。
【００２２】
また、電源制御回路３４は電池装着の有無、電池の種類、電池残量の検出を行い、検出結果及びシステム制御回路３９の指示に基づいて電源部３５を制御している。
【００２３】
３６はカメラ動作状態（撮影枚数等）等を表示する表示装置、３７はシステム制御回路３９の撮影動作用定数、変数等を記憶する制御用メモリである。
【００２４】
３８は後述するシステム制御回路３９の各種の動作指示の入力をするためのスイッチ群である。スイッチ群３８には例えば、メインスイッチ４０、レリーズボタン４１の第１ストロークで閉成され、測距回路３０及び測光回路３１により測距及び測光を指示する測距測光スイッチ４２、レリーズボタン４１の第２ストロークで閉成され、撮影画像のメモリカード１６或はハードディスク１７への記録を指示する記録スイッチ４３、１枚または１組の撮影を行うシングル（Ｓ）モード、連続して複数枚の又は複数組の撮影を行う連続（Ｃ）モード、及びセルフタイマ撮影モードを選択するモードスイッチ４４、画像の記録枚数、フレーム記録／フィールド記録の区別、アスペクト比、画素構成、圧縮方式、圧縮率等の画像記録方式を選択する画像モードスイッチ４５（図中では一つのスイッチとして書かれているが、複数のスイッチにより構成されている）、消去モードを選択する消去モードスイッチ４６、消去の実行を指示する消去スイッチ４７、音声記録のオン／オフを指定する音声記録のメインスイッチ４８、及び音声の記録の実行を指示する音声記録実行スイッチ４９等がある。
【００２５】
３９はスイッチ群３１の指示、カメラ本体に装着されている記録媒体の種類及び該記録媒体の状態（残り記憶容量等）検出、そのほか上述したカメラ本体の検出装置に応じてカメラ全体の制御を行うシステム制御回路である。例えば、測距回路３０の測定結果に従いレンズ駆動回路２９により撮影レンズ１のフォーカシングレンズを駆動して撮影レンズ１を合焦状態に制御する。更に、システム制御回路３９は測光回路３１の測光結果により最適露光量になるようにシャッタ駆動回路２８によりシャッタ２の開放時間を決定する等の制御を行う。５０は外部機器と接続を行うコネクタである。
【００２６】
以下、上述のように構成された電子スチルカメラの動作制御を図１を参照しながら詳細に説明する。
【００２７】
次に情報表示更新手段について具体的に説明する。
【００２８】
情報表示更新手段は、表示可否制御手段、情報表示消灯手段、レイアウト変更制御手段、表示領域明確化手段の組み合わせ処理により実現される。
【００２９】
表示可否制御手段、情報表示消灯手段、レイアウト変更制御手段、表示領域明確化手段のそれぞれの制御において必要な情報は、本実施例では、図６のような設定画面において、各種パラメータを設定させる。
【００３０】
図６のような設定画面において設定されているような、所定タイミングが、実際に発生した場合、情報表示更新手段に対して内部的なイベントが通知されて、処理を開始する。
【００３１】
情報表示更新手段は、まず通知された、そのタイミングが点灯開始における所定タイミングか否かを判定する（S10）。
【００３２】
点灯開始における所定タイミングではないと判定された場合、次にそれが消灯開始における所定タイミングか否かを判定する。（S11）。
【００３３】
上記で、通知されたタイミングが、点灯開始における所定タイミングであると判定された場合、表示可否制御手段に移る（S12）。
【００３４】
ここで、表示可否制御手段について説明しておく。
【００３５】
表示可否制御手段では、まず最初に図６のような設定画面において、設定されている、外部装置の情報表示を点灯させる設定になっているか否かを判定する（S20）。
【００３６】
点灯させる設定になっている場合、次に所定時間で消灯させる設定になっているか否かを判定する（S21）。所定時間で消灯させる設定になっている場合は、所定時間分の消灯用タイマ計測を開始し（S22）、処理は終了となる。また、上記の判定で、外部装置の情報表示を点灯させない設定になっている場合は、そのまま終了となる。
【００３７】
消灯用タイマ計測を開始した場合は、タイマ完了と同時に再度情報表示更新手段に対してイベントを通知し、所定の制御で表示を消灯することとなる。
【００３８】
表示可否制御手段終了後、その結果に応じてその後の処理を変更する（S13）。
【００３９】
外部装置の情報表示を点灯させる設定になっている場合、レイアウト変更制御手段に移る（S14）。
【００４０】
外部装置の情報表示を点灯させない設定になっている場合、レイアウト変更制御手段には移らず、そのまま終了となる。
【００４１】
ここで、レイアウト変更制御手段について説明しておく。
【００４２】
レイアウト変更制御手段では、まず最初に、外部装置の各種情報の点灯制御によるレイアウト変更なのか、外部装置の各種情報の消灯制御によるレイアウト変更なのかを判定する（S30）。
【００４３】
点灯制御の場合、情報表示追加処理を行う（S31）。
【００４４】
点灯制御によるレイアウト変更の場合、図６のような設定画面において、設定されている各情報表示比重設定値と、内部で保持している、表示すべき全ての情報1つ1つの単位での表示重要度との組合せにより、少なくとも1つ以上の接続されている外部装置の情報、及びカメラ側の情報の全体の表示領域に対する、それぞれの表示領域割合が所定の演算により求められる。
【００４５】
また、それに加えて、設定されている外部装置情報の表示位置設定値により、それぞれの表示をどの位置に配置すべきかを求める。
【００４６】
本実施例上では、明記していないが、具体的な方向指定以外にも、その外部装置が接続される物理的な方向を表示位置設定値にする手法等も考えられる。
【００４７】
これらを合わせた統合的な描画情報が、最終的な外部装置の各種情報、カメラ側の各種情報の両方を表示する上での、最終的な表示レイアウトとなる。
【００４８】
この表示レイアウトに沿った形態で、各表示アイコンやセグメントを拡大/縮小・位置移動・配置等の制御を行う事で、表示情報が全て表示された状態となる。
【００４９】
この際に、表示領域明確化手段（S15）により、外部装置の各種情報表示領域の領域を明確に分ける制御を行う。実施例では、外部装置の各種情報表示領域の、背景色及び文字色を変更することで、カメラ側の各種情報表示領域との明確化を行っている。
【００５０】
そうすることで結果的に、外部装置無しの状態での表示状態が図２であったのに対し、外部装置有りの表示状態は図３〜図５に変更される事になる。
【００５１】
図３〜図５は、各情報表示比重値、各情報表示位置値を変更した場合の、それぞれの表示結果となる。
【００５２】
上記で、消灯制御の場合は、情報表示削除処理を行う（S32）。
【００５３】
消灯制御の場合は、外部装置の各種情報表示を速やかに消灯し、それ以外の表示すべき情報が、全体の表示領域に対する割合として100％になるように求められた描画情報が、最終的な表示レイアウトとなる。つまり、点灯制御時で言う所の、外部装置の各種情報表示領域の割合が0％になる事と等価の処理となる。
【００５４】
この表示レイアウトに沿った形態で、各表示アイコンやセグメントを拡大/縮小・位置移動・配置等の制御を行う事で、表示情報が全て表示される状態となる。
【００５５】
消灯制御の場合は、特に表示領域明確化手段で、明確化する領域は存在しない為に、特に制御は行わない。
【００５６】
結果的に、外部装置有の状態での表示状態が図３〜図５であったのに対し、外部装置無の表示状態は図２に戻る事になる。
【００５７】
なお、
図７は、本実施例における情報表示更新手段の制御フロー
図８は、本実施例における表示可否制御手段の制御フロー
図９は、本実施例におけるレイアウト変更制御手段の制御フロー
図１０は、本実施例における表示領域明確化手段の制御フロー
の図である。
【００５８】
これまで説明してきた実施例により、カメラ及び外部装置に纏わる各種情報表示を、自在に制御する事によって、ユーザーが必要な情報を、表示部材の画面上無駄なく使用して、表示する事が可能となる。
【図面の簡単な説明】
【００５９】
【図１】本実施例におけるカメラのブロック図
【図２】本実施例におけるTFT上の表示状態例
【図３】本実施例におけるTFT上の表示状態例
【図４】本実施例におけるTFT上の表示状態例
【図５】本実施例におけるTFT上の表示状態例
【図６】本実施例における各種設定状態表示例
【図７】本実施例における情報表示更新手段の制御フロー
【図８】本実施例における表示可否制御手段の制御フロー
【図９】本実施例におけるレイアウト変更制御手段の制御フロー
【図１０】本実施例における表示領域明確化手段の制御フロー
【図１】
2009135676.tif 000003
【図２】
2009135676.tif 000004
【図３】
2009135676.tif 000005
【図４】
2009135676.tif 000006
【図５】
2009135676.tif 000007
【図６】
2009135676.tif 000008
【図７】
2009135676.tif 000009
【図８】
2009135676.tif 000010
【図９】
2009135676.tif 000011
【図１０】
2009135676.tif 000012